(57)【要約】      （修正有）【課題】迅速に揃って便利に収納できる線材を提供する。【解決手段】線材に関し、該線材は、導線１１を有し、導線１１は、１つ以上の湾曲を形成する折曲部１１１を有し、且つ導線１１の各折曲部１１１の中間にそれぞれ磁性吸引手段１２を設け、導線１１を各折曲部１１１により折り畳み又は巻き付けた後、各折曲部１１１の中間の２つの磁性吸引手段１２を隣り合わせ、２つの磁性吸引手段１２を利用し、相互に吸着させ、線材が絡まり、交錯、巻き付き、結び目、捩れ又は重なり合いを形成することがない。【選択図】図１
0003187077.tif 000002
【実用新案登録請求の範囲】
【請求項１】
導線を有し、導線が１つ以上の折り畳みを形成する折曲部を有し、且つ導線の各折曲部の中間がそれぞれ相互に吸着する磁性吸引手段を設けた線材。
【請求項２】
該導線の各折曲部の中間の磁性吸引手段がベースであり、各ベース内に１つ以上の磁性体を設け、その磁性体をベース外部に露出し、相互に吸着する吸着面を有する請求項１に記載の線材。
【請求項３】
前記１つ以上のベースの側面に固定部を設け、且つ磁性体の２つ以上の側壁に固定部に係止して定位を形成するステップ状部を凸設する請求項２に記載の線材。
【請求項４】
前記ベースは、型内にインサートモールディング（insert molding）方式で磁性体外部を覆うように成形され、且つベース内部に貫通する通孔を形成し、ベースが型内にインサートモールディング方式で直接成形されて、導線上に固定されるか、貫通設置方式で導線上に設置される請求項２に記載の線材。
【請求項５】
前記各ベース内に単一の磁性体を設け、且つベースの側面外部に吸着面を露出する請求項２に記載の線材。
【請求項６】
前記各ベース内に単一の磁性体を設け、且つ単一磁性体の相反する磁極を有する２つの吸着面がベース外部に露出する請求項２に記載の線材。
【請求項７】
前記ベース内に２つ以上の磁性体を設け、２つ以上の磁性体がそれぞれ吸着面によりベース外部に露出される請求項２に記載の線材。
【請求項８】
前記各ベース内に１つ以上の磁性体及び１つ以上の磁性吸引体を設け、磁性吸引体が鉄、コバルト、ニッケル又は合金であり、各磁性体及び磁性吸引体各ベースの異なる側面に露出する請求項２に記載の線材。
【請求項９】
前記磁性体が磁石である請求項２に記載の線材。
【請求項１０】
前記導線の各折曲部の中間の磁性吸引手段が磁性体であり、その磁性体を相互に吸着する吸着面を有し、その磁性体内部に導線を貫通させる貫通孔を形成する請求項１に記載の線材。
【考案の詳細な説明】
【技術分野】
【０００１】
本考案は、線材を提供し、特に、導線の１つ以上の折曲部の中間にそれぞれ磁性吸引手段を設け、各折曲部に折り畳み又は巻き付けさせた後に隣り合う磁性吸引手段を相互に吸着させ、線材を金属部隊表面又は収納の目的を達成することができる線材に関する。
【背景技術】
【０００２】
時代の歩みに伴い、人々の生活品質が向上し、日常生活又は職場において、何れも各式の電気製品を使用し、快適な生活品質を達成しており、日常生活において、経常的に使用する電気製品は、テレビ、冷蔵庫、音響機器又は洗濯機又は家庭用パソコン等であり、職場で使用する電気製品は、事務機器のプリンタ、ファクシミリ又はパソコン等であり、且つ日常生活又は職場で使用する電気製品は、何れも電源又は信号線を使用する必要がある。
各種電気製品は、何れも電源線を設け、都市電源のコンセントに接続させることができて始めて各種電気製品を起動、動作させることができ、各種伝送線を介し、信号の伝送を行い、多くの電気製品を使用することにより、各種電源線、伝送線、延長線等の各式線材がコンセント周辺及び電気製品周囲、付近に散布され、各種線材の散乱、不揃いを招き、相当に美観を損ねるだけでなく、散乱した線材により容易に事故を発生し、人々が各種電器製品を使用する時、線材の安全性に注意しなければならない。
線材を使用しない時、多くの習慣は、線材を折り畳み状態で収納し、更にゴム又は紐で束ねて縛るが、線材内部の金属導線を破壊し易く、金属導線の断裂又は変形を招き、後続の使用時に更に危険を発生し易く、且つ線材が折り畳み、巻き付け収納される時、線材が交錯、体積、巻き付けを呈し、線材の捩れ、絡まりを招き易く、再度線材を使用する時、絡まった線材を解かなければならず、相当に不便である。
【０００３】
デスクトップ型パソコンに至っては、ホストコンピュータがスクリーン、キーボード、マウス及び周辺のプリンタ、スキャナ又はファクシミリ等に接続し、更に多くの線材がコンピュータホスト周辺に散布され、相当に混雑し、危険性も存在し、且つ線材の交錯混雑により周辺の進行空間又はその他の敷設に容易に影響を及ぼし、経常的に事故の発生を招き、これも線材の散乱で発生する不便及び困難である。
【０００４】
従って、従来の線材が円滑に定位、収納できずに不便を招く問題を如何に解決するかが、当業者が改善の方向の研究を欲するところとなっている。
【先行技術文献】
【特許文献】
【０００５】
【特許文献１】特開平７−２２０５２８号公報
【特許文献２】特開２００２−２７１９５３号公報
【考案の概要】
【考案が解決しようとする課題】
【０００６】
故に、考案者は、上記従来の線材の使用時に定位又は収納に不便である欠陥に鑑み、関連資料を収集し、多方面の評価及び考慮を経て、本業界に従事した長年の経験により絶えず、試作及び修正を行い、ようやくこの種の線材を便利に固定し、線材の収納に便利である線材を設計している。
【０００７】
本考案の目的は、導線が１つ以上の湾曲を形成する折曲部を有し、且つ導線の各折曲部の中間にそれぞれ相互に吸着する磁性吸引手段を設け、これにより、導線に各折曲部により折り畳み又は巻き付けさせた後、２つの磁性吸引手段が隣り合って相互に吸着し、線材を迅速に揃って便利に収納する目的を達成することにある。
【０００８】
本考案のもう１つの目的は、該導線の各折曲部の中間にそれぞれベースを包囲し、各ベース内に１つ以上の磁性体を設け、その磁性体をベース外部に露出し相互に吸着する吸着面を有し、導線を各折曲部により折り畳み又は巻き付けた後、各折曲部の中間の２つのベースを隣り合わせ、隣り合う２つのベースは、磁性体の吸着面を利用し相互に吸着させ、線材の迅速で揃って便利な収納の目的を達成することにある。
【０００９】
本考案の更にもう１つの目的は、該線材の１つ以上の折曲部の中間のベースが、所設の１つ以上の磁性体の相互の吸着を介するとともに、２つのベースの外部に適当な間隔を形成することにより、線材の湾曲、巻き付け収納時に、線材間に交錯、重なり合い又は巻き付け、絡まりの現象が発生せず、更に便利に線材を収納し、繰り返し応用可能にすることにある。
【００１０】
本考案のまた更にもう１つの目的は、該導線の各折曲部の中間の磁性手段が磁性体であり、線材の湾曲、巻き付け後の２つの磁性体を隣り合わせて吸着させることができ、且つその磁性体の構造の簡易化により製造コストの低減、整頓された収納、繰り返し使用及び接続の目的を達成することにある。
【課題を解決するための手段】
【００１１】
本考案の線材は、導線を有し、導線が１つ以上の折り畳みを形成する折曲部を有し、且つ導線の各折曲部の中間がそれぞれ相互に吸着する磁性吸引手段を設ける。
【考案の効果】
【００１２】
本考案は、線材に関し、該線材は、導線を有し、導線は、１つ以上の湾曲を形成する折曲部を有し、且つ導線の各折曲部の中間にそれぞれ磁性吸引手段を設け、導線を各折曲部により折り畳み又は巻き付けた後、各折曲部の中間の２つの磁性吸引手段を隣り合わせ、２つの磁性吸引手段を利用し、相互に吸着させ、線材が絡まり、交錯、巻き付き、結び目、捩れ又は重なり合いを形成することがなく、線材を迅速で揃って便利に収納する目的を達成する。
【図面の簡単な説明】
【００１３】
【図１】本考案の第１実施例の立体外観図である。
【図２】本考案の第１実施例の側面外観図である。
【図３】本考案の第２実施例の立体外観図である。
【図４】本考案の第３実施例の側面外観図である。
【図５】本考案の第４実施例の立体外観図である。
【図６】本考案の第４実施例の側面外観図である。
【図７】本考案の第５実施例の立体外観図である。
【考案を実施するための形態】
【００１４】
上記目的及び効果を達成する為、本考案が採用する技術手段及びその構造について分かり易くする為、図面に合わせ、本考案の好適実施例を挙げ、その特徴及び機能を以下に説明する。
【００１５】
図１、図２、図３を参照し、それは、本考案の第１実施例の立体外観図、側面断面図、第２実施例の立体外観図であり、図から明確に分かるように、本考案は、線材１を有し、且つ線材１は、導線１１を有し、その導線１１は、１つ以上の湾曲を形成する折曲部１１１を有し、且つ導線１１の各折曲部１１１の中間は、磁性吸引手段１２をそれぞれ設け、その磁性吸引手段１２は、ベース１２１であることができ、各ベース１２１内に１つ以上の磁性体１２２を設け、その磁性体１２２をベース１２１外部に露出し、相互に吸着する吸着面１２２１を有し、その磁性体１２２は、磁石である。
【００１６】
上記ベース１２１は、型内にインサートモールディング（insert molding）方式で直接磁性体１２２及び導線１１外部を覆うように直接成形されることができ、また、ベース１２１は、先ず型内にインサートモールディング（insert molding）方式で磁性体１２２外部を覆うように成形され、ベース１２１内部に貫通する通孔１２１０を形成させ、ベース１２１を導線１１上に貫通設置し、接着固定（樹脂、強力接着剤又は粘着剤又は熱溶解接着剤）又は嵌合固定方式で固定を形成し、そのベース１２１の側面１２１１に固定部１２１２を設け、固定部１２１２は、凹溝又は凸縁であることができ、且つ磁性体１２２の２つ以上の側壁に固定部１２１２に係止し、定位を形成するステップ状部１２２２を凸設し、ベース１２１が型内に射出方式で磁性体１２２及び導線１１外部を覆うように成形される方式を利用し、組み立て固定の工程を減少でき、プロセスの簡易化及びコストの低減の目的を達成する。
【００１７】
該導線１１は、電源線、伝送線又は延長線であることができ、線材１を収納したい時、導線１１を各折曲部１１１により折り畳み又は巻き付けを行い、Ｓ状又は円形環状を呈させた後、各折曲部１１１の中間のベース１２１を隣り合わせ、且つ隣り合う２つのベース１２１が露出する磁性体１２２を利用し、吸着面１２２１を相互に吸着させ、線材１を揃えて収納し、相互に吸着した２つの磁性体１２２の吸着面１２２１の磁極（Ｓ，Ｎ）は、必ず相反方式であり、２つのベース１２１の外部に適当な間隔を形成することにより、線材が絡まり、交錯、結び目、捩れ又は重なり合い等の現象を形成することがなく、導線１１内部の金属線の完全性を保持し、断裂又は剥離し難く、信号伝送の機能の安定を保持し、線材１の収納後の繰り返し利用及び接続に便利である。
【００１８】
また、線材１の導線１１の一端又は二端にプラグ１１２（例えば、電源、音源、ＵＳＢ、ＨＤＭＩ(登録商標)、ＤＶＩ、ＲＪ又はその他の型式）を設け、導線１１がプラグ１１２を利用し、壁面２上の都市電源コンセント２１、電子装置、機台又は家電（図示せず）に挿入設置する時、長過ぎる導線１１を各ベース１２１の磁性体１２２を利用して相互に吸着させ、線材１の導線１１をコンセント２１、電子装置、機台又は家電周辺に散布させず、また、線材１が更に各ベース１２１の設ける磁性体１２２を利用し、金属材質の壁面２又は仕切り板（例えば、鉄、コバルト、ニッケル又は合金の金属材質で製造されるスクリーン、テーブル板又は載置構造）に吸着することもでき、線材１の導線１１を壁面２周辺に散布させず、整頓、安全の効果を達成することができる。
【００１９】
図１、図２、図３、図５、図６を参照し、それは、本考案の第１実施例の立体外観図、側面断面図、第２実施例の立体外観図、第４実施例の立体外観図、側面断面図であり、図から明確に分かるように、該線材１は、各ベース１２１内に単一の磁性体１２２を設け、ベース１２１の側面１２１１外部に吸着面１２２１を露出し、２つ以上のベース１２１を対にして吸着させ、且つ各ベース１２１は、単一磁性体１２２を相対する２つ側面１２１１又は隣り合う３つの側面１２１１に露出させることもでき、単一磁性体１２２に相反する磁極に２つの吸着面１２２１をもたせ、ベース１２１外部に露出させ、２つ以上のベース１２１を隣り合わせ吸着させる。また、各ベース１２１内に２つ以上の磁性体１２２を設け、且つ２つ以上の磁性体１２２は、それぞれ吸着面１２２１がベース１２１外部に露出し、２つ以上のベース１２１を隣合せて吸着させることもでき、上記簡易な修飾及び同一効果をなす構造の変化は、何れも同様に本考案の権利範囲に含む。
【００２０】
また、図４を参照し、それは、本考案の第３実施例の側面断面図であり、図から明確に分かるように、各ベース１２１内に１つ以上の磁性体１２２及び１つ以上の磁性吸引体１２３を設けることができ、各ベース１２３は、鉄、コバルト、ニッケル又は合金等の磁性体１２２と相互に吸引する金属材質であることができ、各磁性体１２２及び磁性体１２３を各ベース１２１の異なる側面１２１１外部に露出させ、且つ各磁性吸引体１２３が磁性体１２２と同一なステップ状部１２２２を有することができ、ベース１２１内に定位させ、隣り合う２つ状のベース１２１に側面１２１１の磁性体１２２及び磁性吸引体１２３と相互に吸着し、線材１を揃えて収納する目的を達成することができる。
【００２１】
上記１つ以上のベース１２１内部の通孔１２１０は、導線１１の外径寸法の大きさに合わせて通孔１２１０の孔径の大きさを変化させることができ、異なる寸法の導線１１上に取り付けることができる。
【００２２】
図７を参照し、それは、本考案の第５実施例の立体外観図であり、図中から明確に分かるように、該磁性吸引手段１２は、磁性体１２２であることもでき、磁性体１２２を利用し、導線１１の各折曲部１１１の中間にそれぞれ磁性吸引手段１２を包囲し、且つ導線１１が各折曲部１１１により折り畳み又は巻き付けられた後、折曲部１１１の中間の２つの磁性吸引手段１２を隣り合わせ、且つ隣り合った２つの磁性体１２２を利用し、吸着面１２２１を相互に吸着させ、線材１を揃えて収納、繰り返し使用及び接続し、且つ構造の簡易化により生産コストを大幅に低減することができる。
【００２３】
上記は、ただ本考案の好適実施例であり、これにより本考案の権利範囲を制限するものではなく、本考案の線材１は、導線１１を有し、導線１１は、１つ以上の湾曲を形成する折曲部１１１を形成し、且つ導線１１の各折曲部１１１の中間は、それぞれ磁性吸引手段１２を包囲し、且つ導線１１が各折曲部１１１により折り畳み又は巻き付けられた後、折曲部１１１の中間の２つの磁性吸引手段１２を隣り合わせ、２つの磁性吸引手段１２を利用し、相互に吸着させ、線材１を揃えて折り畳み、湾曲させた後の収納の目的を達成することができ、且つ線材の収納時に絡まり又は交錯、重ね合わせ等の欠陥を発生することがないので、前記の目的、効果を達成することができる関連する設備、装置は、何れも本考案に含むものであり、この種の簡易な修飾及び同等効果をなす構造の変化は、何れも同様に本考案の権利範囲に含むものである。
【００２４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２５】
１  線材
１１  導線
１１１  折曲部
１１２  プラグ
１２  磁性吸引手段
１２１  ベース
１２１０  通孔
１２１１  側面
１２１２  固定部
１２２  磁性体
１２２０  貫通孔
１２２１  吸着面
１２２２  ステップ状部
１２３  磁性吸引体
２  壁面
２１  コンセント
【図１】
0003187077.tif 000003
【図２】
0003187077.tif 000004
【図３】
0003187077.tif 000005
【図４】
0003187077.tif 000006
【図５】
0003187077.tif 000007
【図６】
0003187077.tif 000008
【図７】
0003187077.tif 000009